【事件の表示】
　平成　５年特許願第３２７２６１号「複写機管理情報通信装置および複写機管理情報通信装置の制御方法」拒絶査定に対する審判事件［平成　７年　７月２１日出願公開、特開平　７−１８１８４２］について、次のとおり審決する。
【結　論】
　本件審判の請求は、成り立たない。
【理　由】
１．手続の経緯・本願発明
　本願は、平成5年12月24日の出願であって、その請求項１ないし１４に係る発明は、平成12年12月25日付け、平成13年6月18日付け、平成13年10月29日付け、平成14年2月12日付け手続補正によって補正された明細書および図面の記載からみて、その特許請求の範囲の請求項１ないし１４に記載された次のとおりのものである（以下、それぞれ「本願発明１」、「本願発明２」・・・「本願発明１４」という。）。
「【請求項１】　複写機本体を制御する複写制御手段からホストコンピュータに送信するようなイベントの発生に応じて出力される管理情報を受信し、通信手段を介してホストコンピュータへ送信する通信制御手段を有する複写機管理情報通信装置において、
　前記ホストコンピュータに対する前記管理情報の送信が成功したか否かを判別する判別手段と、
　前記判別手段により送信失敗と判別された管理情報を記憶する記憶手段とを通信制御手段に設け、
　前記通信制御手段は複写制御手段から前記ホストコンピュータに送信すべき新たな管理情報を受信したときに、前記ホストコンピュータへの前記送信失敗と判別された管理情報を送信する所定の時点を待つことなく、前記受信した新たな管理情報と前記記憶手段に記憶されている送信失敗した管理情報とを前記ホストコンピュータに送信するように制御することを特徴とする複写機管理情報通信装置。
【請求項２】　前記イベントの発生は前記複写機本体において、常時監視されているものであることを特徴とする請求項１に記載の複写機管理情報通信装置。
【請求項３】　前記通信制御手段は、前記新たな管理情報を受信しない限り、前記記憶手段に記憶されている送信失敗した管理情報を前記ホストコンピュータへ送信しないようにすることを特徴とする請求項１又は２に記載の複写機管理情報通信装置。
【請求項４】　前記通信制御手段は、前記複写機本体の電源の変化に応じて前記記憶手段に記憶された前記判別手段によって送信失敗とされた管理情報を前記ホストコンピュータに送信させることを特徴とする請求項１から３の何れかに記載の複写機管理情報通信装置。
【請求項５】　前記通信制御手段は前記ホストコンピュータと公衆回線を介して通信可能とされたものであることを特徴とする請求項１から４の何れかに記載の複写機管理情報通信装置。
【請求項６】　前記管理情報は前記複写機本体の機能異常に関するものであることを特徴とする請求項１から５の何れかに記載の複写機管理情報通信装置。
【請求項７】　複写機本体を制御する複写制御手段からホストコンピュータに送信するようなイベントの発生に応じて出力される管理情報を受信し、通信手段を介してホストコンピュータへ送信する通信制御手段を有する複写機管理情報通信装置において、
　前記ホストコンピュータに対する前記管理情報の送信が成功したか否かを判別する判別手段と、
　前記判別手段により送信失敗と判別された管理情報を記憶する記憶手段とを有し、
　前記通信制御手段は、新たな管理情報を受信しない限り、前記記憶手段に記憶されている送信失敗した管理情報を前記ホストコンピュータへ送信しないようにすることを特徴とする複写機管理情報通信装置。
　　【請求項８】　複写機本体を制御する複写制御手段からホストコンピュータに送信するようなイベントの発生に応じて出力される管理情報を受信し、通信手段を介してホストコンピュータへ送信する複写機管理情報通信装置の制御方法において、
　前記ホストコンピュータへの前記管理情報の送信を制御する通信制御ステップと、
　前記ホストコンピュータに対する前記管理情報の送信が成功したか否かを判別する判別ステップと、
　前記判別ステップにより送信失敗と判別された管理情報を記憶手段に記憶する記憶ステップとを有し、
　前記通信制御ステップは、複写制御手段から前記ホストコンピュータに送信すべき新たな管理情報を受信したときに、前記ホストコンピュータへの前記送信失敗と判別された管理情報を送信する所定の時点を待つことなく、前記受信した新たな管理情報と前記記憶手段に記憶されている送信失敗した管理情報とを前記ホストコンピュータに送信するように制御することを特徴とする複写機管理情報通信装置の制御方法。
【請求項９】　前記イベントの発生は前記複写機本体において、常時監視されているものであることを特徴とする請求項８に記載の複写機管理情報通信装置の制御方法。
【請求項１０】　前記通信制御ステップは、前記新たな管理情報を受信しない限り、前記記憶手段に記憶されている送信失敗した管理情報を前記ホストコンピュータへ送信しないようにすることを特徴とする請求項８又は９に記載の複写機管理情報通信装置の制御方法。
【請求項１１】　前記通信制御ステップは、前記複写機本体の電源の変化に応じて前記記憶手段に記憶された前記判別ステップにおいて送信失敗とされた管理情報を前記ホストコンピュータに送信させることを特徴とする請求項８から１０の何れかに記載の複写機管理情報通信装置の制御方法。
【請求項１２】　前記通信制御ステップは前記ホストコンピュータとの通信を公衆回線を介してなすことを特徴とする請求項８から１１の何れかに記載の複写機管理情報通信装置の制御方法。
【請求項１３】　前記管理情報は前記複写機本体の機能異常に関するものであることを特徴とする請求項８から１２の何れかに記載の複写機管理情報通信装置の制御方法。
【請求項１４】　複写機本体を制御する複写制御手段からホストコンピュータに送信するようなイベントの発生に応じて出力される管理情報を受信し、通信手段を介してホストコンピュータへ送信する複写機管理情報通信装置の制御方法において、
　前記ホストコンピュータへの前記管理情報の送信を制御する通信制御ステップと、
　前記ホストコンピュータに対する前記管理情報の送信が成功したか否かを判別する判別ステップと、
　前記判別ステップにより送信失敗と判別された管理情報を記憶手段に記憶させる記憶ステップとを有し、
　前記通信制御ステップでは、新たな管理情報を受信しない限り、前記記憶ステップにて記憶された前記送信失敗した管理情報を前記ホストコンピュータへ送信しないようにすることを特徴とする複写機管理情報通信装置の制御方法。」
　
２．引用刊行物記載の発明
　原査定の拒絶の理由に引用した引用文献１（特開平5−48753号公報）には次のような技術的事項が、図面とともに記載されている。
Ａ）【請求項４】　複写装置を回線を介してホストコンピュータにより管理する複写装置管理システムにおいて、
　複写装置側でホストコンピュータとの間のデータ送受信を行う複写装置通信制御手段と、ホストコンピュータ側で複写装置との間のデータ送受信を行うホストコンピュータ通信制御手段とを有し、
　上記複写装置通信制御手段がホストコンピュータに対するデータ転送を失敗した場合に、この複写装置通信制御手段内の記憶手段により転送失敗データを保持することを特徴とする複写装置管理システム。
Ｂ）また、複写装置からホストコンピュータへのデータ転送が失敗した場合に、このデータが、例えば複写装置の機能異常に関する重要なものである場合でも、転送失敗データが消滅してしまうため、ホストコンピュータのデータ収集や管理に対する障害となる欠点がある。特に、複写装置の顧客は、上記機能異常のデータはサービス拠点に自動的に転送されるものと考えているため、顧客自らサービス拠点に通知することは期待できず、機能異常の発見がさらに遅れるという欠点があった。（段落【０００５】）
Ｃ）複写装置１００は、複写動作を制御するＤＣコントローラ８００と、公衆回線９０８との間でデータの送受信を行う通信制御手段としてのモデムボード９００とを有して構成されている。（段落【００１２】）
Ｄ）このモデムボード９００には、通信を制御するためのＣＰＵ９０１と、通信制御データを一時保管するためのメモリ（ＲＡＭ）９０３と、デジタル通信データを公衆回線９０８にのせるために変調し、また公衆回線９０８で送られてきたデータをデジタル通信データに復調する変復調器（モデム）９０５と、公衆回線９０８の接続等を制御するネットワークコントロールユニット（ＮＣＵ）９０６とを有する。（段落【００１４】）
Ｅ）次に、上述した複写装置管理システムにおいて、複写装置１００の機能異常などの発生により複写装置１００からホストコンピュータ９９９へのデータ転送が失敗した場合の動作について説明する。図８は、複写装置１００からホストコンピュータ９９９に発呼してデータ転送を行う場合の動作を示すフローチャートである。（段落【００２７】〜【００２８】）
Ｆ）まず、待機状態でホストコンピュータ９９９への発呼を指示するイベントが発生すると（Ｓ２１）、ホストコンピュータ９９９へ発呼し、データ転送を試みる（Ｓ２２）。そして、データ転送が成功した場合には（Ｓ２３）、そのまま待機状態に戻り、データ転送が失敗した場合には、その転送データをモデムボード９００内のＲＡＭ９０３に格納して（Ｓ２４）、待機状態に戻る。（段落【００２９】
Ｇ）図９は、ホストコンピュータ９９９からの被呼により複写装置１００からホストコンピュータ９９９にデータ転送を行う場合の動作を示すフローチャートである。ホストコンピュータ９９９は、一定の期間毎に各ユーザの複写装置１００に対して発呼を行っており、上述のように転送失敗データがある複写装置１００は、ホストコンピュータ９９９から被呼を受けたときに、この転送失敗データの再転送動作を行うようになっている。（段落【００３０】〜【００３１】）
Ｈ）図９において、まず、待機状態において、ホストコンピュータ９９９からの被呼があった場合（Ｓ３１）、転送を失敗したデータがあるかどうか判断し（Ｓ３２）、データがあれば、ホストコンピュータ９９９に発呼して、データの転送を試みる（Ｓ３３）。また、データがなければ、待機状態に戻る。（段落【００３２】）
Ｉ）図１０は、以上のデータ転送失敗時の動作と再送動作の通信シーケンスを示す模式図である。また、このようにホストコンピュータ９９９からの被呼に応じて転送失敗データの再転送を行う代わりに、複写装置１００側のタイマによって一定時間経過後に、複写装置１００が自主的に発呼を行い再転送を行うようにしても良い。図１１は、この場合の動作を示すフローチャートであり、図１２は、その通信シーケンスを示す模式図である。まず、待機状態でホストコンピュータ９９９への発呼を指示するイベントが発生すると（Ｓ５１）、ホストコンピュータ９９９へ発呼し、データ転送を試みる（Ｓ５２）。そして、データ転送が成功した場合には（Ｓ５３）、そのまま待機状態に戻り、データ転送が失敗した場合には、その転送データをモデムボード９００のＲＡＭ９０３に格納して（Ｓ５４）、一定時間ウエイトする（Ｓ５５）。そして、ウエイト解除後、Ｓ５２に戻って転送失敗データの再転送を行う。（段落【００３３】〜【００３６】）
Ｊ）また、以上のようなデータ転送失敗時に、複写装置１００に設けられたＬＣＤ表示器（図示せず）にデータ転送を失敗した旨の表示を行い、サービス拠点へ電話をかけるようユーザに促すことができる。図１３は、この場合の動作を示すフローチャートであり、図１４は、その通信シーケンスを示す模式図である。まず、待機状態でホストコンピュータ９９９への発呼を指示するイベントが発生すると（Ｓ７１）、ホストコンピュータ９９９へ発呼し、データ転送を試みる（Ｓ７２）。そして、データ転送が成功した場合には（Ｓ７３）、そのまま待機状態に戻り、データ転送が失敗した場合には、この失敗した旨をＬＣＤ表示器に表示し（Ｓ７４）、ユーザにサービス拠点へ電話をかけるように促す。そして、図１１で説明した例と同様に、その転送失敗データをモデムボード９００内のＲＡＭ９０３に格納して（Ｓ７５）、一定時間ウエイトし（Ｓ７６）、このウエイト解除後、Ｓ７２に戻って転送失敗データの再転送を行う。以上のようにして、データ転送が失敗したことをユーザにサービス拠点へ通知するよう促すことで、サービス拠点側で各複写装置１００の異常に対し、有効な管理を確保することができる。（段落【００３７】〜【００４０】）
　
３．対比・判断
［本願発明１］
　本願発明１を引用文献１記載の発明と対比すると、
ア）引用文献１記載の発明の「複写装置１００を制御するＤＣコントローラ８００」、「機能異常に関するデータ」、「公衆回線９０８」は、それぞれ本願発明１の「複写機本体を制御する複写制御手段」、「イベントの発生に応じて出力される管理情報」、「通信手段」に相当し、
イ）摘記事項Ｄからみて、引用文献１記載の発明の「モデムボード９００」は、通信を制御するためのＣＰＵ９０１と通信制御データを一時保管するためのメモリ（ＲＡＭ）９０３等を具えているし、摘記事項Ｆからみて、複写機本体を制御する複写制御手段からホストコンピュータに送信するようなイベントの発生に応じて出力される管理情報を受信し、通信手段を介してホストコンピュータへ送信するものであるから、本件発明１の「複写機本体を制御する複写制御手段からホストコンピュータに送信するようなイベントの発生に応じて出力される管理情報を受信し、通信手段を介してホストコンピュータへ送信する通信制御手段を有する複写機管理情報通信装置」に相当し、
ウ）摘記事項ＦおよびＨからみて、引用文献１記載の発明の通信制御手段は、ホストコンピュータに対する管理情報の送信が成功したか否かを判別する判別手段を具えているということができ、
エ）摘記事項Ｆからみて、引用文献１記載の発明の通信制御手段は、判別手段により送信失敗と判別された管理情報を記憶する記憶手段を具えているということができ、
オ）摘記事項Ｈからみて、引用文献１記載の発明の通信制御手段は、記憶手段に記憶されている送信失敗した管理情報をホストコンピュータに送信する機能を備えているということができ、
　以上のことから、両者間には次のような一致点、相違点がある。
（一致点）
　複写機本体を制御する複写制御手段からホストコンピュータに送信するようなイベントの発生に応じて出力される管理情報を受信し、通信手段を介してホストコンピュータへ送信する通信制御手段を有する複写機管理情報通信装置において、
　前記ホストコンピュータに対する前記管理情報の送信が成功したか否かを判別する判別手段と、前記判別手段により送信失敗と判別された管理情報を記憶する記憶手段とを通信制御手段に設け、
　前記通信制御手段は前記記憶手段に記憶されている送信失敗した管理情報を前記ホストコンピュータに送信するように制御する複写機管理情報通信装置。
（相違点）
　通信制御手段が記憶手段に記憶されている送信失敗と判別された管理情報をホストコンピュータに送信するタイミングが、本願発明１では、ホストコンピュータに送信すべき新たな管理情報を受信したときに、所定の時点を待つことなく、送信するようにしているのに対して、引用文献１記載の発明では、一定の期間毎に行われるホストコンピュータの発呼に呼応して送信するようにしている点
（相違点の検討）
　引用文献１記載の発明は、摘記事項Ｆの記載からみて、複写機に機能異常などのイベントが発生した場合は、ホストコンピュータの発呼を待つことなく、複写機からホストコンピュータにデータ転送を発呼できるようになっている。
　機能異常等のイベントが発生した場合は、できるだけ速やかにホストコンピュータにデータ転送されることが望ましいし、データ転送に失敗した機能異常などのデータに関しても同じである。
　そこで、定期的なホストコンピュータからの発呼のタイミングよりも、複写機からの発呼のタイミングの方が、より早くデータ転送に失敗した機能異常などのデータを転送できる場合について、通信制御装置がホストコンピュータに送信すべき新たな管理情報を受信したときに、所定の時点を待つことなく転送するように構成することは、当業者が容易に考えつくことができた構成の変更である。
　そして、管理情報の無駄な送信の再試行を防止し、効率的かつ迅速なタイミングで管理情報をホストコンピュータに送信することができるとする作用効果についても、本願発明１は、複写制御手段からホストコンピュータに送信すべき新たな管理情報を受信した時の方が、所定の時点経過した時点より早いことを前提としているが、必ずしも早いとは限らないから、格別のものとはいえない。
　なお、ホストコンピュータによって複数の端末装置を管理するシステムは例えば特開昭59−40754号公報に記載されているように周知であり、これによれば、転送に失敗し記憶部に記憶されたデータを次の新しい転送データが発生したときに、ホストコンピュータ転送することが記載されている。
（まとめ）
　以上のことから、本願発明１は引用文献１記載の発明および周知技術に基づいて、当業者が容易に発明をすることができたものである。
　
［本願発明２、４ないし６］
　複写機のイベントの発生は常時監視するのが普通であるし、また、イベントの発生として電源の変化を監視することも当業者ならば容易に考えつくことであるし、さらに通信手段として公衆回線は引用文献１に記載されているから、本願発明２、４ないし６も引用文献１記載の発明及び周知技術に基づいて、当業者が容易に発明をすることができたものである。
　
［本願発明３、７］
　上記当業者が容易になし得る構成の変更によって、ホストコンピュータに送信すべき新たな管理情報を受信したときに、受信した新たな管理情報と、記憶手段に記憶されている送信失敗した管理情報とをホストコンピュータに送信するように構成した場合、結果的に新たな管理情報を受信しない限り記憶手段に記憶されている管理情報を送信しないように構成されるのが普通であるから、本願発明３、７も引用文献１及び周知技術に基づいて、当業者が容易に発明をすることができたものである。
　
［本願発明８ないし１４］
　本願発明８ないし１４は、本願発明１ないし７の複写機管理情報通信装置を複写機管理情報通信装置の制御方法として規定しただけで、実質的には相違するものではないから、本願発明１ないし７と同様の理由によって、引用文献１及び周知技術に基づいて、当業者が容易に発明をすることができたものである。
　
４．むすび
　以上のことから、本願発明１ないし１４は引用文献１記載の発明および周知技術に基づいて、当業者が容易に発明をすることができたものであり、特許法第29条第2項の規定によって特許を受けることができない。
　よって、結論のとおり審決する。